(57)【要約】【課題】光量の違いに柔軟に対応しつつ製造コストの上昇を抑える。【解決手段】光源モジュールＡは、複数のＬＥＤ10と、ＬＥＤ10を支持する支持部材11と、４つの辺を有する板状に形成されて表面に支持部材11が取り付けられる本体２とを有する。また、本体２は、４つの辺のうちの第１の辺から突出する板状の連結部21と、支持部材11を跨いで第１の辺に対向する第２の辺に設けられる階段状の段差部22とを備える。そして、連結部21は、他の本体２の段差部22と結合可能に構成される。したがって、連結部21と段差部22を結合することで複数台の光源モジュールＡが連結可能であるので、連結台数を変えて光量の違いに柔軟に対応しつつ製造コストの上昇を抑えることができる。【選択図】        図１
2015088308.tif 000002
【特許請求の範囲】
【請求項１】
１乃至複数の固体発光素子と、前記固体発光素子を支持する支持部材と、４つの辺を有する板状に形成されて表面に前記支持部材が取り付けられる本体とを有し、
前記本体は、前記４つの辺のうちの第１の辺から突出する板状の連結部と、前記支持部材を跨いで前記第１の辺に対向する第２の辺に設けられる階段状の段差部とを備え、
前記連結部は、他の前記本体の前記段差部と結合可能に構成されることを特徴とする光源モジュール。
【請求項２】
請求項１の光源モジュールを複数備え、複数の前記光源モジュールを１列に並べ、隣り合う２つの前記光源モジュールが前記連結部と前記段差部とで連結されることを特徴とする照明装置。
【請求項３】
複数の前記光源モジュールのうちで何れか一方の端に位置する前記光源モジュールは、前記連結部又は前記段差部の何れか一方のみを備えることを特徴とする請求項２記載の照明装置。
【発明の詳細な説明】
【技術分野】
【０００１】
本発明は、ＬＥＤモジュールなどの光源モジュール、及びその光源モジュールを用いる照明装置に関する。
【背景技術】
【０００２】
従来例として、特許文献１記載の屋外用照明器具を例示する。特許文献１記載の従来例は、基板に複数個の発光ダイオード(ＬＥＤ)が実装された複数のＬＥＤモジュールと、各ＬＥＤモジュールを支持する支持板と、ＬＥＤモジュールを支持した支持板を内部に収納するハウジング(器具本体)とを備えている。そして、特許文献１記載の従来例は、例えば、道路に沿って立てられた支柱(ポール)に取り付けられて、当該道路を照明するように構成される。
【先行技術文献】
【特許文献】
【０００３】
【特許文献１】特開２０１３−２０７３４号公報
【発明の概要】
【発明が解決しようとする課題】
【０００４】
ところで、特許文献１記載の従来例では、光量を増加するためにＬＥＤモジュールの個数を増やそうとした場合、支持板の形状や寸法を変更しなければならない。そのため、光源モジュール(ＬＥＤモジュール)として、光量が異なる多数の品種が必要になり、部品の共通化が阻害されるために製造コストが上昇するという問題があった。
【０００５】
本発明は、上記課題に鑑みて為されたものであり、光量の違いに柔軟に対応しつつ製造コストの上昇を抑えることを目的とする。
【課題を解決するための手段】
【０００６】
本発明の光源モジュールは、１乃至複数の固体発光素子と、前記固体発光素子を支持する支持部材と、４つの辺を有する板状に形成されて表面に前記支持部材が取り付けられる本体とを有し、前記本体は、前記４つの辺のうちの第１の辺から突出する板状の連結部と、前記支持部材を跨いで前記第１の辺に対向する第２の辺に設けられる階段状の段差部とを備え、前記連結部は、他の前記本体の前記段差部と結合可能に構成されることを特徴とする。
【０００７】
本発明の照明装置は、前記光源モジュールを複数備え、複数の前記光源モジュールを１列に並べ、隣り合う２つの前記光源モジュールが前記連結部と前記段差部とで連結されることを特徴とする。
【０００８】
この照明装置において、複数の前記光源モジュールのうちで何れか一方の端に位置する前記光源モジュールは、前記連結部又は前記段差部の何れか一方のみを備えることを特徴とする。
【発明の効果】
【０００９】
本発明の光源モジュール及び照明装置は、連結部と段差部を結合することで複数の光源モジュールが連結可能であるので、光源モジュールの個数を増減することにより、光量の違いに柔軟に対応しつつ製造コストの上昇を抑えることができるという効果がある。
【図面の簡単な説明】
【００１０】
【図１】本発明に係る光源モジュールの実施形態を示す断面図である。
【図２】同上の断面図である。
【図３】同上の上から見た平面図である。
【図４】同上の下から見た平面図である。
【図５】同上の後方から見た平面図である。
【図６】同上の前方から見た平面図である。
【図７】同上の連結した状態の上から見た平面図である。
【図８】同上の連結した状態の一部省略した断面図である。
【図９】同上の連結した状態の側面図である。
【図１０】同上の連結した状態の一部省略した断面図である。
【図１１】同上の落下防止の動作を説明するための側面図である。
【図１２】同上の落下防止の動作を説明するための断面図である。
【図１３】同上の連結した状態の上から見た平面図である。
【図１４】同上の後方から見た平面図である。
【図１５】本発明に係る照明装置の実施形態(道路灯)を示す正面図である。
【図１６】同上の上から見た平面図である。
【図１７】同上の断面図である。
【発明を実施するための形態】
【００１１】
以下、本発明に係る光源モジュールの実施形態、並びに本発明に係る照明装置の実施形態について、図面を参照して詳細に説明する。なお、以下では照明装置の実施形態として道路灯を例示するが、これに限定する趣旨ではなく、道路灯以外の照明装置にも本発明の技術思想を適用することは可能である。
【００１２】
まず、光源モジュールＡについて、図１〜図１４を参照して説明する。ただし、以下の説明では、特に断りのない限り、図３において前後左右の各方向を規定し、紙面に対して垂直な方向を上下方向と規定する。
【００１３】
光源モジュールＡは、図１〜図３に示すように光源部１、本体２、カバー４などを備える。光源部１は、矩形板状の支持部材11と、支持部材11の一面(下面)に実装される複数個の固体発光素子(発光ダイオード＜ＬＥＤ10＞)と、レンズブロック12とを有する。ＬＥＤ10は、支持部材11の下面にほぼ等間隔に並ぶように実装されている。また、図示は省略しているが、支持部材11の下面には、各ＬＥＤ10を電気的に接続するための導電体(銅箔)が印刷形成されている。ただし、固体発光素子はＬＥＤに限定されず、例えば、有機エレクトロルミネセンス素子などでも構わない。
【００１４】
レンズブロック12は、ＬＥＤ10が放射する光の配光を制御する多数のレンズ120と、支持部材11の下面を覆う矩形板状の基板121とが、アクリル樹脂やポリカーボネート樹脂などの透光性を有する材料で一体に形成されて構成される。ただし、レンズブロック12を形成する材料は透光性を有する合成樹脂材料に限定されず、石英ガラスなどであっても構わない。
【００１５】
光源部１は、後述するように本体２の凹部20の底面に対して、支持部材11とレンズブロック12を厚み方向に重ねるようにしてねじ止めされる(図１参照)。
【００１６】
本体２は、図３に示すように、アルミダイカストにより、４つの辺を有する板状に形成され、下面のほぼ中央に凹部20が設けられている。そして、凹部20の底面(上面)に光源部１がねじ止めによって取り付けられる。また、本体２は、４つの辺のうちの第１の辺(後ろの辺)から突出する板状の連結部21と、支持部材11を跨いで第１の辺に対向する第２の辺(前の辺)に設けられる階段状の段差部22とを備える。さらに、本体２は、残り２つの辺(左辺及び右辺)に略三角柱状の側壁23がそれぞれ設けられている。なお、本体２の上面には、複数(図示例では９つ)の放熱フィン24が左右方向に等間隔に並べて形成されている。すなわち、光源部１のＬＥＤ10が発する熱を本体２に伝導して放熱するに当たり、複数の放熱フィン24を設けることで放熱性の向上を図っている。
【００１７】
本体２は、図３に示すように２つの防水形のケーブルグランド25が上面の左端に前後方向に並べてねじ止めされている。これらのケーブルグランド25は、光源部１のＬＥＤ10と電気的に接続され、且つ本体２に設けられる貫通孔(図示せず)から引き出される電線26をそれぞれ保護するものである。なお、ケーブルグランド25が２つ取り付けられているのは、後述するように複数の光源モジュールＡを送り配線で接続するためである。
【００１８】
側壁23は、前端と後端がそれぞれ斜めに傾斜しており、前端には略三角形の板状に形成された蓋体230がねじ止めされている(図３参照)。また、蓋体230の前面には、略平行四辺形状の突片231が前方に向かって突出するように設けられている。なお、側壁23の後端は開放されている(図５参照)。
【００１９】
連結部21は、図１に示すように厚み寸法(上下方向の厚み寸法)が本体２の他の部分よりも小さく、且つ放熱フィン24を除いた本体２の上面とほぼ面一となるように後方へ突出している。また、連結部21は、左右方向の両端近くに、上面が開口した有底円筒形の第１凹所210がそれぞれ設けられている。そして、第１凹所210の底面には、円形の第１挿通孔211が上下方向に貫通している。さらに、連結部21は、２つの第１凹所210に挟まれるように半長円筒形状の第２凹所212が設けられている。そして、この第２凹所212の底面には、長軸方向を前後方向に一致させた長孔からなる第２挿通孔213が貫通している。なお、第２凹所212は、後端が開放されている(図３参照)。
【００２０】
段差部22は、図６に示すように放熱フィン24を除いた本体２の上面から１段下がり、且つ本体２の上面とほぼ平行な平板状に形成されている。また、段差部22は、前後方向において連結部21の第１凹所210と直線上に並ぶ位置に、それぞれ第１ボス220が設けられている(図３参照)。第１ボス220は円筒形状であって、その内部に雌ねじ(第１雌ねじ221)が形成されている。
【００２１】
さらに、段差部22は、前後方向において第２凹所212と直線上に並ぶ位置に、第２ボス222が設けられている(図３参照)。第２ボス222は、第１ボス220よりも背の高い円筒形状であって、第１ボス220と同様に内部に雌ねじ(第２雌ねじ223)が形成されている。なお、第２ボス222の外径は、連結部21の第２挿通孔213の短軸方向の幅よりも小さい寸法とされている。
【００２２】
カバー４は、図１及び図４に示すように透光板40と、枠体41と、防水パッキン42とを有する。透光板40は、透光性を有する材料(アクリル樹脂等の合成樹脂材料や石英ガラスなど)で矩形平板状に形成される。枠体41は、アルミダイカストによって矩形の枠状に形成されている。また、枠体41は、四隅及び長辺の中央にそれぞれ挿通孔410が貫通している。防水パッキン42は、例えば合成ゴムによって矩形の枠状に形成され、内周面に設けられる溝420に透光板40の周縁部分が嵌め込まれることで透光板40に装着される(図１参照)。
【００２３】
そして、カバー４は、本体２の下面に被せられ、枠体41に設けられている合計６つの挿通孔410に挿通されるボルト43が、本体２に設けられている雌ねじ部27にねじ込まれることで本体２に取り付けられる(図１及び図４参照)。カバー４が本体２に取り付けられることにより、本体２の凹部20が透光板40と防水パッキン42とで密閉される。そして、光源部１が発する光は、透光板40を通して本体２の外に放射される。
【００２４】
ここで、本実施形態の光源モジュールＡ(Ａ１)は、他の光源モジュールＡ(Ａ２)の段差部22に連結部21を結合することにより、図７に示すように前後方向において当該他の光源モジュールＡ２と連結される。
【００２５】
次に、２つの光源モジュールＡ１、Ａ２を連結する手順を説明する。まず、一方(前方)の光源モジュールＡ２の連結部21が、他方(後方)の光源モジュールＡ１の段差部22に上から重ねられる。このとき、後方の光源モジュールＡ１は、各側壁23の前端から前方へ突出している突片231が、前方の光源モジュールＡ２の各側壁23の後端に挿入されることで左右方向及び上下方向において位置決めされる。そうすると、光源モジュールＡ２の連結部21の第１凹所210と、光源モジュールＡ１の第１ボス220とが上下方向で重なり合う。そして、第１凹所210の第１挿通孔211に取付ねじ214が挿通され、この取付ねじ214が第１ボス220の第１雌ねじ221にねじ込まれることで連結部21と段差部22が結合される。その結果、光源モジュールＡ２の連結部21と光源モジュールＡ１の段差部22とが２箇所でねじ止めされて連結される(図７〜図９参照)。
【００２６】
同様に、光源モジュールＡ２の段差部22と、別の光源モジュールＡ(Ａ３)の連結部21とを結合すれば、合計３台の光源モジュールＡ１〜Ａ３を前後方向に１列に並べて連結することができる。ただし、最前列の光源モジュールＡ３は、他の光源モジュールＡ１，Ａ２と若干構造が異なっている。すなわち、光源モジュールＡ３は、段差部22が設けられていない点と、側壁23の蓋体230に突片231が設けられない点と、ケーブルグランド25が１つしか設けられない点とが他の光源モジュールＡ１，Ａ２と異なっている(図７参照)。
【００２７】
また、これら３台の光源モジュールＡ１〜Ａ３は、ケーブルグランド25から引き出される電線26で送り配線される。なお、最後列の光源モジュールＡ１は、後端側のケーブルグランド25から引き出される電線(図示せず)を介して、後述する電源装置62と電気的に接続される。
【００２８】
本実施形態の光源モジュールＡは、上述のように１乃至複数の固体発光素子(ＬＥＤ10)と、固体発光素子を支持する支持部材11と、４つの辺を有する板状に形成されて表面に支持部材11が取り付けられる本体２とを有する。また、本体２は、４つの辺のうちの第１の辺から突出する板状の連結部21と、支持部材11を跨いで第１の辺に対向する第２の辺に設けられる階段状の段差部22とを備える。そして、連結部21は、他の本体２の段差部22と結合可能に構成される。
【００２９】
したがって、連結部21と段差部22を結合することで複数台の光源モジュールＡが連結可能であるので、連結台数を変えて光量の違いに柔軟に対応しつつ製造コストの上昇を抑えることができる。
【００３０】
ところで、街灯や道路灯のように高所に設置される照明装置(照明器具)は、万が一の落下事故に備えて、落下防止用のワイヤあるいはケーブルで支柱(ポール)などに繋がれている。しかしながら、本実施形態のように複数台の光源モジュールＡ１〜Ａ３が連結される場合、連結部分の取付ねじ214が地震などの影響で外れ、光源モジュールＡ２，Ａ３が落下する可能性がある。
【００３１】
これに対して本実施形態の光源モジュールＡ１〜Ａ３は、図７及び図１０に示すように段差部22の第２ボス222が連結部21の第２挿通孔213に挿通され、第２ボス222の第２雌ねじ223にワッシャ付きのねじ224がねじ込まれる。つまり、第２雌ねじ223及びねじ224は、連結部21と段差部22との結合には寄与しておらず、正常時にはねじ224に不要な力が掛かっていない。さらに、少なくともねじ224の頭部及びワッシャ2240の外径は、第２挿通孔213の短軸方向(左右方向)の内径よりも大きい寸法に設定されている。
【００３２】
したがって、取付ねじ214が外れてしまった場合であっても、第２雌ねじ223にねじ込まれたねじ224の頭部及びワッシャ2240が第２挿通孔213を通らないことで光源モジュールＡ２，Ａ３の落下が防止される(図１２参照)。しかも、第２挿通孔213が長孔であるため、図１１及び図１２に示すように、連結部21から取付ねじ214が外れた方の光源モジュールＡ２は、自重により前方が下がって傾いた状態となる。これにより、２台の光源モジュールＡ１、Ａ２を連結している部分の取付ねじ214が外れたことが、容易に判別可能になる。
【００３３】
ここで、複数台の光源モジュールＡ１〜Ａ３の連結強度を上げるため、本実施形態では、各光源モジュールＡ１〜Ａ３の本体２の上面における左右両端にそれぞれ支持板３が取り付けられている(図１３参照)。この支持板３は、長尺の金属板が長手方向に沿って曲げられることにより、主片30と、主片30と平行な取付片31と、長手方向に沿った主片30の端縁と取付片31の端縁とを繋ぐ側片32とが一体に形成されている。
【００３４】
取付片31には合計３箇所にねじ挿通孔が貫通している。一方、３台の光源モジュールＡ１〜Ａ３の本体２は、上面における左右両端且つ前後方向の中央に、直方体形状のボス28がそれぞれ上向きに突設されている。また、各ボス28は、上面の中央に雌ねじ280が設けられている。
【００３５】
支持板３は、連結された３台の光源モジュールＡ１〜Ａ３の各ボス28の上に取付片31が載せられ、各ねじ挿通孔に挿通されるねじ38が、各ボス28の雌ねじ280にねじ込まれることで各光源モジュールＡ１〜Ａ３の本体２にねじ止めされる(図１３参照)。
【００３６】
上述のように２本の支持板３で各光源モジュールＡ１〜Ａ３の本体２の両端が支持されるので、複数台の光源モジュールＡ１〜Ａ３の連結強度を上げることができる。
【００３７】
ここで、支持板３は、側片31によって取付片31よりも主片30を上方に配置するように構成されている。そのため、主片30と本体２の上面との間にスペースが形成される。そして、左側の支持板３(主片30)と本体２上面との間のスペースは、ケーブルグランド25から引き出される電線26を這わすための配線スペースに利用される(図１４参照)。
【００３８】
上述のように支持板３と本体２に囲まれる空間を配線スペースに利用しており、支持板３の主片30と側片31で電線26が覆い隠されるので、光源モジュールＡ１〜Ａ３単体で電線26の保護を図ることができる。
【００３９】
次に、本実施形態の照明装置(道路灯Ｂ)について、図１５〜図１７を参照して詳細に説明する。
【００４０】
本実施形態の道路灯Ｂは、１乃至複数台(図示例では３台)の光源モジュールＡ１〜Ａ３、一対の支持板３、灯体６、取付具７で構成される。
【００４１】
灯体６は、ボディ60と上蓋61で構成される。ボディ60は、アルミダイカストによって上面が開口した扁平な矩形箱状に形成される。また、上蓋61は、アルミダイカストによって下面が開口した扁平な矩形箱状に形成される。ボディ60は、一対の軸受け600が前面における左右両端近くに設けられている。一方、上蓋61は、軸受け600に挿通される回転軸601の両端を支持する各一対の支持片610が前端面より前方へ突出している。したがって、上蓋61は、軸受け600に挿通される回転軸601を支点として、ボディ60の開口を開放する開位置と、ボディ60の開口を閉塞する閉位置との間で回転可能にボディ60に取り付けられる。なお、上蓋61は、自由端(後端)側の左右両端がボディ60にねじ止めされることにより、閉位置に固定される(図１６参照)。
【００４２】
ボディ60の内部には電源装置62や端子台63などが収納される(図１７参照)。また、ボディ60は、前面における軸受け600の下側に挿入孔602が開口し、且つ挿入孔602内には階段状の固定部603が設けられている。固定部603は、図１７に示すように挿入孔602より挿入される光源モジュールＡ１の連結部21に上から重なるように構成される。また、固定部603は、左右方向の両端にそれぞれねじ挿通孔(図示せず)が貫通している。したがって、各ねじ挿通孔に挿通された取付ねじ604が、光源モジュールＡ１の連結部21に設けられた一対の雌ねじ215(図１３参照)にねじ込まれることにより、灯体６のボディ60と光源モジュールＡ１とが連結される。
【００４３】
また、支持板３の主片30の後端にねじ挿通孔300が貫通している(図１３参照)。そして、挿入孔602を通してボディ60の内部に各支持板３の後端部が挿入され、ボディ60内に設けられる雌ねじ(図示せず)に、ねじ挿通孔300に挿通されたねじ(図示せず)がねじ込まれることで各支持板３がボディ60と結合される。
【００４４】
取付具７は、道路に沿って立設される支柱(ポール)の先端よりほぼ水平に突出する円筒形の部材(アーム)に、灯体６を取り付けるためのものである。この取付具７は、アルミダイカストによって有底円筒形に形成され、前記アームがその内部に挿入されるように構成される。また、取付具７の周面には固定用のねじ70が複数本(図示例では４本)取り付けられている。つまり、これらのねじ70が締め込まれることにより、アームに対して取付具７が抜け止めされる。
【００４５】
さらに、取付具７の前端には、灯体６を回転可能に支持する機構が設けられている。ただし、このような支持機構は従来周知であるから、詳細な構造の図示並びに説明は省略する。灯体６は、前記支持機構により、光の放射面(光源モジュールＡ１〜Ａ３の下面)が道路とほぼ平行になる位置から、上向きに数十度の範囲で回転可能となっている。したがって、取付具７に対して灯体６を回転させることにより、道路の照射範囲を調整することができる。
【００４６】
上述のように本実施形態の照明装置(道路灯Ｂ)は、光源モジュールＡを複数備え、複数の光源モジュールＡ１〜Ａ３を１列に並べ、隣り合う２つの光源モジュールＡ１〜Ａ３が連結部21と段差部22とで連結されるように構成される。
【００４７】
したがって、連結部21と段差部22を結合することで複数台の光源モジュールＡが連結可能であるので、光源モジュールＡの連結台数を変えることで光量の違う照明装置を容易に実現することができる。
【００４８】
また、本実施形態の照明装置(道路灯Ｂ)において、複数の光源モジュールＡ１〜Ａ３のうちで何れか一方の端(前端)に位置する光源モジュールＡ３は、連結部21又は段差部22の何れか一方のみ(連結部21のみ)を備える。
【００４９】
上記構成によれば、前端(最前列)に位置する光源モジュールＡ３が段差部22を備えていないので、照明装置(道路灯Ｂ)としても外観上の見栄えが向上されるという利点がある。
【符号の説明】
【００５０】
１  光源部
２  本体
10  発光ダイオード(固体発光素子)
11  支持部材
21  連結部
22  段差部
【図１】
2015088308.tif 000003
【図２】
2015088308.tif 000004
【図３】
2015088308.tif 000005
【図４】
2015088308.tif 000006
【図５】
2015088308.tif 000007
【図６】
2015088308.tif 000008
【図７】
2015088308.tif 000009
【図８】
2015088308.tif 000010
【図９】
2015088308.tif 000011
【図１０】
2015088308.tif 000012
【図１１】
2015088308.tif 000013
【図１２】
2015088308.tif 000014
【図１３】
2015088308.tif 000015
【図１４】
2015088308.tif 000016
【図１５】
2015088308.tif 000017
【図１６】
2015088308.tif 000018
【図１７】
2015088308.tif 000019